(57)【要約】【課題】複数のラミネートセル電極タブを簡単かつ安全に接続するとともに、該ラミネートセル電極タブの接続解除を簡単かつ安全にする。【解決手段】開閉支点１０を基準に第１部材１１と第２部材１２とが開閉可能であり、開閉支点１０を基準に開いた状態で、複数のラミネートセル電極タブ８を挿入可能な挿入部１３と、開閉支点１０を基準に閉じた状態で、複数のラミネートセル電極タブ８を重ねた状態で接触させることが可能な接触部１５、１６、１７、１８及び１９と、を備えることを特徴とする複数のラミネートセル電極タブ８の接続ユニット２。【選択図】図２
2015153692.tif 000002
【特許請求の範囲】
【請求項１】
開閉支点を基準に第１部材と第２部材とが開閉可能であり、
前記開閉支点を基準に開いた状態で、複数のラミネートセル電極タブを挿入可能な挿入部と、
前記開閉支点を基準に閉じた状態で、前記複数のラミネートセル電極タブを重ねた状態で接触させることが可能な接触部と、を備えることを特徴とする複数のラミネートセル電極タブの接続ユニット。
【請求項２】
請求項１に記載の接続ユニットにおいて、
前記挿入部は、前記開閉支点側に設けられることを特徴とする接続ユニット。
【請求項３】
請求項１又は２に記載の接続ユニットにおいて、
前記接触部は、前記第１部材と前記第２部材との両方に設けられる、前記複数のラミネートセル電極タブの挿入方向と交差する交差方向に延設される凸状部材であり、
前記第１部材と前記第２部材とに設けられた前記凸状部材は、前記閉じた状態の内側において、前記挿入方向に交互に設けられることを特徴とする接続ユニット。
【請求項４】
請求項１から３のいずれか１項に記載の接続ユニットにおいて、
前記接触部は、前記第１部材と前記第２部材との両方に設けられる、前記複数のラミネートセル電極タブの挿入方向と交差する交差方向に延設される凸状部材であり、
前記第１部材と前記第２部材とに設けられた前記凸状部材は、前記閉じた状態の内側において、対向する位置に設けられることを特徴とする接続ユニット。
【請求項５】
請求項１から４のいずれか１項に記載の接続ユニットにおいて、
前記接触部は、前記第１部材と前記第２部材との両方に設けられる、前記複数のラミネートセル電極タブの挿入方向と交差する交差方向に延設される凸状部材であり、
前記第１部材と前記第２部材とに設けられた前記凸状部材は、前記閉じた状態の内側において、対向する位置に設けられるとともに前記挿入方向に交互にも設けられ、
前記対向する位置に設けられる前記凸状部材は、前記交互に設けられる前記凸状部材よりも前記挿入方向において上流側に位置することを特徴とする接続ユニット。
【請求項６】
請求項３から５のいずれか１項に記載の接続ユニットにおいて、
前記凸状部材は、前記交差方向における端部よりも中央部の方が前記挿入方向及び前記交差方向の両方と交差する方向の長さが長いことを特徴とする接続ユニット。
【請求項７】
請求項１から６のいずれか１項に記載の接続ユニットにおいて、
前記接続ユニットは、前記複数のラミネートセル電極タブと接続可能な電極を備えることを特徴とする接続ユニット。
【請求項８】
請求項１から７のいずれか１項に記載の接続ユニットにおいて、
前記接続ユニットは、ポリプロピレンで構成されていることを特徴とする接続ユニット。
【請求項９】
複数のラミネートセルと、請求項１から８のいずれか１項に記載の接続ユニットと、を収容し、
前記複数のラミネートセルを固定するラミネートセル固定部と、前記接続ユニットを固定する接続ユニット固定部と、を備えることを特徴とする電池モジュール。
【請求項１０】
請求項９に記載の電池モジュールにおいて、
前記接続ユニット固定部は、前記接続ユニットを導入する導入方向における該接続ユニットの移動を規制する第１規制部と、前記導入方向とは反対方向における該接続ユニットの移動を規制する第２規制部と、を有し、
前記接続ユニットは、前記第１規制部に対応する第１被規制部と、前記第２規制部に対応する第２被規制部と、を有することを特徴とする電池モジュール。
【発明の詳細な説明】
【技術分野】
【０００１】
本発明は、接続ユニット及び電池モジュールに関する。
【背景技術】
【０００２】
従来から、電池セルを直列或いは並列に接続して、電池モジュールとするために、複数のラミネートセル電極タブを接続することが行われている。従来、一般的には、複数のラミネートセル電極タブを接続する際、該ラミネートセル電極タブ同士を溶接することやネジ止めすることなどが行われてきた。  
一方、特許文献１及び特許文献２には、複数のラミネートセル電極タブを接続するための嵌め込み式の接続ユニットが開示されている。
【先行技術文献】
【特許文献】
【０００３】
【特許文献１】特開２００７−２６５９４５号公報
【特許文献２】特開２０１３−２０６８４４号公報
【発明の概要】
【発明が解決しようとする課題】
【０００４】
しかしながら、ラミネートセル電極タブ同士を溶接すると該ラミネートセル電極タブの接続解除は困難である。このため、複数のラミネートセル間のラミネートセル電極タブが接続されている場合、一のラミネートセルが故障しても該一のラミネートセルのみを交換することが困難になる。  
また、ラミネートセル電極タブ同士をネジ止めする場合、狭いスペースでネジ止めすることとなり操作性が悪い。また、通常ネジは導電性の金属で構成されている場合が多いので、該ネジを落下させた場合等にラミネートセルをショートさせてしまう虞等がある。  
また、特許文献１及び特許文献２に開示される接続ユニットは、ラミネートセル電極タブの大きさや厚さ等によっては該ラミネートセル電極タブを接続する際の接触面積が小さくなるなど不具合を生じる場合があった。  
このように、従来のラミネートセル電極タブの接続方法では、複数のラミネートセル電極タブを簡単かつ安全に接続するとともに、該ラミネートセル電極タブの接続解除を簡単かつ安全にすることが困難であった。
【０００５】
そこで、本発明の目的は、複数のラミネートセル電極タブを簡単かつ安全に接続するとともに、該ラミネートセル電極タブの接続解除を簡単かつ安全にすることである。
【課題を解決するための手段】
【０００６】
上記課題を解決するための本発明の第１の態様に係る接続ユニットは、開閉支点を基準に第１部材と第２部材とが開閉可能であり、前記開閉支点を基準に開いた状態で、複数のラミネートセル電極タブを挿入可能な挿入部と、前記開閉支点を基準に閉じた状態で、前記複数のラミネートセル電極タブを重ねた状態で接触させることが可能な接触部と、を備えることを特徴とする。
【０００７】
本態様によれば、前記開いた状態で複数のラミネートセル電極タブを挿入可能であり、前記閉じた状態で前記複数のラミネートセル電極タブを重ねた状態で接触させることが可能である。このため、前記接続ユニットを開いた状態で簡単に前記複数のラミネートセル電極タブを挿入し、前記接続ユニットを閉じることで該複数のラミネートセル電極タブを重ねた状態（大きな接触面積）で接触させることができる。また、さらに前記接続ユニットを開き、前記ラミネートセル電極タブから該接続ユニットを取り外すことで、該ラミネートセル電極タブの接続解除をすることができる。したがって、複数のラミネートセル電極タブを簡単かつ安全に接続するとともに、該ラミネートセル電極タブの接続解除を簡単かつ安全にすることができる。
【０００８】
本発明の第２の態様に係る接続ユニットは、前記第１の態様において、前記挿入部は、前記開閉支点側に設けられることを特徴とする。
【０００９】
本態様によれば、前記挿入部は、前記開閉支点側に設けられる。このため、ユーザーは前記開閉支点側とは反対側である前記開閉の際の力点側を持って前記開閉支点側の前記挿入部に前記複数のラミネートセル電極タブを挿入し、前記複数のラミネートセル電極タブを挿入した後そのまま前記力点側に力を加えることで、特に簡単に前記複数のラミネートセル電極タブを接続できる。
【００１０】
本発明の第３の態様に係る接続ユニットは、前記第１又は第２の態様において、前記接触部は、前記第１部材と前記第２部材との両方に設けられる、前記複数のラミネートセル電極タブの挿入方向と交差する交差方向に延設される凸状部材であり、前記第１部材と前記第２部材とに設けられた前記凸状部材は、前記閉じた状態の内側において、前記挿入方向に交互に設けられることを特徴とする。
【００１１】
本態様によれば、前記凸状部材は、前記第１部材と前記第２部材との両方に設けられ、前記第１部材と前記第２部材とに設けられた前記凸状部材は、前記閉じた状態の内側において、前記挿入方向に交互に設けられる。すなわち、前記交差方向から見て、前記複数のラミネートセル電極タブが前記凸状部材により波状になるように重ねられて接続されることとなる。このため、大きな接触面積で前記複数のラミネートセル電極タブを接触させることができる。
【００１２】
本発明の第４の態様に係る接続ユニットは、前記第１から第３のいずれか１つの態様において、前記接触部は、前記第１部材と前記第２部材との両方に設けられる、前記複数のラミネートセル電極タブの挿入方向と交差する交差方向に延設される凸状部材であり、前記第１部材と前記第２部材とに設けられた前記凸状部材は、前記閉じた状態の内側において、対向する位置に設けられることを特徴とする。
【００１３】
本態様によれば、前記凸状部材は、前記第１部材と前記第２部材との両方に設けられ、前記第１部材と前記第２部材とに設けられた前記凸状部材は、前記閉じた状態の内側において、対向する位置に設けられる。すなわち、前記閉じた状態において、前記複数のラミネートセル電極タブは互いに近づく方向に寄せられることとなる。このため、確りと前記複数のラミネートセル電極タブを接触させることができる。
【００１４】
本発明の第５の態様に係る接続ユニットは、前記第第１から第４のいずれか１つの態様において、前記接触部は、前記第１部材と前記第２部材との両方に設けられる、前記複数のラミネートセル電極タブの挿入方向と交差する交差方向に延設される凸状部材であり、前記第１部材と前記第２部材とに設けられた前記凸状部材は、前記閉じた状態の内側において、対向する位置に設けられるとともに前記挿入方向に交互にも設けられ、前記対向する位置に設けられる前記凸状部材は、前記交互に設けられる前記凸状部材よりも前記挿入方向において上流側に位置することを特徴とする。
【００１５】
本態様によれば、前記凸状部材は、前記閉じた状態の内側において、対向する位置に設けられるとともに前記挿入方向に交互にも設けられ、前記対向する位置に設けられる前記凸状部材は、前記交互に設けられる前記凸状部材よりも前記挿入方向において上流側に位置する。すなわち、前記複数のラミネートセル電極タブは、前記挿入方向において上流側で互いに近づく方向に寄せられたうえ、その下流側で、前記交差方向から見て前記複数のラミネートセル電極タブが前記凸状部材により波状になるように重ねられて接続されることとなる。このため、確りと前記複数のラミネートセル電極タブを接触させることができるとともに、大きな接触面積で前記複数のラミネートセル電極タブを接触させることができる。
【００１６】
本発明の第６の態様に係る接続ユニットは、前記第３から第５のいずれか１つの態様において、前記凸状部材は、前記交差方向における端部よりも中央部の方が前記挿入方向及び前記交差方向の両方と交差する方向の長さが長いことを特徴とする。
【００１７】
本態様によれば、前記凸状部材は、前記交差方向における端部よりも中央部の方が前記挿入方向及び前記交差方向の両方と交差する方向の長さが長い。すなわち、前記凸状部材は、前記挿入方向から見て、前記中央部の方が前記端部よりも出っ張った形状をしている。本発明者らが鋭意検討した結果、このような形状とすることで、前記交差方向において、前記複数のラミネートセル電極タブの接触面積は大きくなることが分かった。このため、大きな接触面積で前記複数のラミネートセル電極タブを接触させることができる。
【００１８】
本発明の第７の態様に係る接続ユニットは、前記第１から第６のいずれか１つの態様において、前記接続ユニットは、前記複数のラミネートセル電極タブと接続可能な電極を備えることを特徴とする。
【００１９】
本態様によれば、前記接続ユニットは、前記複数のラミネートセル電極タブと接続可能な電極を備える。このため、簡単に前記接続ユニットと外部部材とを電気的に接続できる。
【００２０】
本発明の第８の態様に係る接続ユニットは、前記第１から第７のいずれか１つの態様において、前記接続ユニットは、ポリプロピレンで構成されていることを特徴とする。
【００２１】
本態様によれば、前記接続ユニットは、ポリプロピレンで構成されている。ポリプロピレンは優れた可撓性を有するとともに繰り返し変形させても劣化が生じ難い丈夫な材料である。このため、前記接続ユニットの操作性及び耐久性を向上できる。
【００２２】
本発明の第９の態様に係る電池モジュールは、複数のラミネートセルと、前記第１から第８のいずれか１つの態様の接続ユニットと、を収容し、前記複数のラミネートセルを固定するラミネートセル固定部と、前記接続ユニットを固定する接続ユニット固定部と、を備えることを特徴とする。
【００２３】
本態様によれば、前記複数のラミネートセルを固定するラミネートセル固定部と、前記接続ユニットを固定する接続ユニット固定部と、を備える。このため、前記電池モジュールにおいて、前記複数のラミネートセルと前記接続ユニットとを確りと固定することができる。
【００２４】
本発明の第１０の態様に係る電池モジュールは、前記第９の態様において、前記接続ユニット固定部は、前記接続ユニットを導入する導入方向における該接続ユニットの移動を規制する第１規制部と、前記導入方向とは反対方向における該接続ユニットの移動を規制する第２規制部と、を有し、前記接続ユニットは、前記第１規制部に対応する第１被規制部と、前記第２規制部に対応する第２被規制部と、を有することを特徴とする。
【００２５】
本態様によれば、前記接続ユニット固定部は前記第１規制部を有し、前記接続ユニットは前記第１被規制部を有する。このため、前記第１規制部により前記第１被規制部が規制される位置まで前記接続ユニットが挿入されることで、前記複数のラミネートセル電極タブが前記接続ユニットの所定位置まで挿入される構成とすることにより、前記複数のラミネートセル電極タブを特に簡単に接続することができる。  
また、本態様によれば、前記接続ユニット固定部は前記第２規制部を有し、前記接続ユニットは前記第２被規制部を有する。このため、前記電池モジュールにおいて、前記複数のラミネートセルと前記接続ユニットとを特に確りと固定することができる。
【図面の簡単な説明】
【００２６】
【図１】本発明の実施例１に係る電池モジュールの概略斜視図と要部拡大図である。
【図２】本発明の実施例１に係る電池モジュールにおける接続ユニットの概略斜視図である。
【図３】本発明の実施例１に係る電池モジュールにおける接続ユニットの概略平面図である。
【図４】本発明の実施例１に係る電池モジュールにおけるラミネートセルの概略側面断面図である。
【図５】本発明の実施例２に係る電池モジュールの概略斜視図と要部拡大図である。
【図６】本発明の実施例３に係る電池モジュールの要部拡大図である。
【図７】本発明の実施例４に係る電池モジュールにおける接続ユニットの概略斜視図である。
【発明を実施するための形態】
【００２７】
以下に、本発明を実施するための好ましい形態について説明するが、本発明は、下記実施例に限定されない。  
［実施例１］（図１〜図４）
図１は、本発明の実施例１の電池モジュール１の概略斜視図と要部拡大図である。また、図２は、本発明の実施例１の電池モジュール１における接続ユニット２の概略斜視図である。また、図３は、本発明の実施例１の電池モジュール１における接続ユニット２の概略平面図である。また、図４は、本発明の実施例１の電池モジュール１におけるラミネートセル３の概略側面断面図である。
【００２８】
図１に示されるように、本実施例の電池モジュール１は、樹脂製の筐体４で周囲を囲まれており、一方の側から導入方向Ａ１に複数のラミネートセル３を導入して収容することが可能に構成されている。
【００２９】
各ラミネートセル３は、図４で表されるように、ラミネートセル電極タブ８を有する電池本体部５と、ケース部６と、補強部材７とを有している。詳細には、補強部材７の両面に電池本体部５が張り付けられ、それを、ラミネートセル電極タブ８を外部に出した状態でケース部６に収容した構成となっている。
【００３０】
また、本実施例の電池モジュール１は、隣り合うラミネートセル電極タブ８を接続することが可能な接続ユニット２を使用することが可能に構成されている。  
なお、本実施例の電池モジュール１は、左右６段ずつ合計１２個設けられたラミネートセル３の収容部としての固定部９を備えている。図１は、このうち、導入方向Ａ１から見て右側の列における上側３段に収容されたラミネートセル３と、導入方向Ａ１から見て左側の列における１番上の段と一番下の段を除く４段に収容されたラミネートセル３とに、接続ユニット２が取り付けられた状態を表している。
【００３１】
また、本実施例の接続ユニット２は、図１の要部拡大図、図２及び図３で表されるように、開閉支点１０を基準に方向Ｂに第１部材１１と第２部材１２とを移動させることにより、開閉可能に構成されている。また、接続ユニット２の開閉支点１０側には、開閉支点１０を基準に開いた状態で、複数のラミネートセル電極タブ８を挿入可能な挿入部１３を有している。
【００３２】
ユーザーは、図１の要部拡大図で表されるように、固定部９に固定されたラミネートセル３に対して、接続ユニット２の開閉支点１０側とは反対側を持って、開閉支点１０側から接続ユニット２を導入方向Ａ１に移動させて複数のラミネートセル電極タブ８を挿入部１３から挿入させ、固定部９の一部を構成する壁部１４に当接する位置で第１部材１１と第２部材１２とを方向Ｂに移動させて第１部材１１及び第２部材１２の内側で挟むことにより、複数のラミネートセル電極タブ８を接続することができる。
【００３３】
図１の要部拡大図、図２及び図３で表されるように、第１部材１１には、挿入部１３側から反対方向に向かって順に、複数のラミネートセル電極タブ８の挿入方向Ａ２（導入方向Ａ１とは反対方向）と交差する交差方向Ｃに延設される凸状部材１５、凸状部材１６が構成されている。また、第２部材１２には、挿入部１３側から反対方向に向かって順に、交差方向Ｃに延設される凸状部材１７、凸状部材１８、凸状部材１９が構成されている。
【００３４】
ここで、図１の要部拡大図で表されるように、第１部材１１における挿入方向Ａ２において上流側の凸状部材１５と、第２部材１２における挿入方向Ａ２において上流側の凸状部材１７とは、接続ユニット２を閉じた状態において、対向する位置に設けられている。  
一方、第１部材１１における挿入方向Ａ２において下流側の凸状部材１６と、第２部材１２における挿入方向Ａ２において凸状部材１７よりも下流側の凸状部材１８及び１９とは、接続ユニット２を閉じた状態において、挿入方向Ａ２において交互に設けられている。
【００３５】
また、図２で表されるように、凸状部材１６は先端部が円弧状をしている。別の表現をすると、凸状部材１６は、交差方向Ｃにおける端部２１よりも中央部２０の方が挿入方向Ａ２及び交差方向Ｃの両方と交差する方向の長さが長い。すなわち、凸状部材１６は、挿入方向Ａ２から見て、中央部２０の方が端部２１よりも出っ張った形状をしている。本発明者らが鋭意検討した結果、このような形状とすることで、交差方向Ｃにおいて、複数のラミネートセル電極タブ８の接触面積は大きくなることが分かった。このため、大きな接触面積で複数のラミネートセル電極タブ８を接触させるためにこのような構成としている。
【００３６】
また、本実施例の接続ユニット２は、図１の要部拡大図、図２及び図３で表されるように、第２部材１２の凸状部材１８及び凸状部材１９の間であって、凸状部材１６と対向する位置に、導線２３が接続された接点金具２２（電極）が設けられている。  
このため、簡単に接続ユニット２と外部部材とを電気的に接続できるようになっている。  
なお、図２で表されるように、接点金具２２は、一部が接続ユニット２を閉じた状態における内側（第１部材１１側）に押し上げられた形状をしている。この位置にこのような形状の接点金具２２を設けることによって、複数のラミネートセル電極タブ８と接点金具２２との接触不良を抑制している。
【００３７】
また、本実施例の接続ユニット２は、図２及び図３で表されるように、挿入部１３側とは反対側に、第１部材１１と第２部材１２とが閉じた状態で固定できるように、突起部２４ａ、２４ｂ及び２４ｃと、該突起部２４ａ、２４ｂ及び２４ｃが引っ掛けられる引掛部２５ａ、２５ｂ及び２５ｃが設けられている。
【００３８】
上記のように、本実施例の接続ユニット２は、開閉支点１０を基準に第１部材１１と第２部材１２とが開閉可能である。そして、開閉支点１０を基準に開いた状態で、複数のラミネートセル電極タブ８を挿入可能な挿入部１３と、開閉支点１０を基準に閉じた状態で、複数のラミネートセル電極タブ８を重ねた状態で接触させることが可能な接触部としての凸状部材１５、１６、１７、１８及び１９と、を備えている。  
このため、接続ユニット２を開いた状態で簡単に複数のラミネートセル電極タブ８を挿入し、接続ユニット２を閉じることで該複数のラミネートセル電極タブ８を重ねた状態（大きな接触面積）で接触させることができる。また、さらに接続ユニット２を開き、ラミネートセル電極タブ８から該接続ユニット２を取り外すことで、該ラミネートセル電極タブ８の接続解除をすることができる。したがって、複数のラミネートセル電極タブ８を簡単かつ安全に接続するとともに、該ラミネートセル電極タブ８の接続解除を簡単かつ安全にすることができるよう構成されている。
【００３９】
また、上記のように、本実施例の挿入部１３は、開閉支点１０側に設けられている。  
このため、ユーザーは開閉支点１０側とは反対側である前記開閉の際の力点側を持って開閉支点１０側の挿入部１３に複数のラミネートセル電極タブ８を挿入し、複数のラミネートセル電極タブ８を挿入した後そのまま前記力点側に力を加えることで、特に簡単に複数のラミネートセル電極タブ８を接続できる。
【００４０】
また、上記のように、本実施例の接触部としての凸状部材１５、１６、１７、１８及び１９は、複数のラミネートセル電極タブ８の挿入方向Ａ２と交差する交差方向Ｂに延設される。  
このため、該凸状部材１５、１６、１７、１８及び１９で前記複数のラミネートセル電極タ８ブを押し当てることにより、交差方向Ｂにおいて複数のラミネートセル電極タブ８を確りと接触させることが可能になり、大きな接触面積で複数のラミネートセル電極タブ８を接触させている。
【００４１】
また、上記のように、本実施例の凸状部材１５、１６、１７、１８及び１９は、開閉支点１０を基準にして一方の側（第１部材１１）と他方の側（第２部材１２）の両方に設けられ、このうち、第１部材１１の凸状部材１６と第２部材１２の凸状部材１８及び１９は、接続ユニット２が閉じた状態の内側において、挿入方向Ａ２において交互に設けられている。  
このため、図１の要部拡大図で表されるように、交差方向Ｃから見て、複数のラミネートセル電極タブ８が凸状部材１６、１８及び１９により波状になるように重ねられて接続され、大きな接触面積で複数のラミネートセル電極タブ８を接触させている。
【００４２】
また、上記のように、本実施例の凸状部材１５、１６、１７、１８及び１９は、開閉支点１０を基準にして第１部材１１と第２部材１２の両方に設けられ、第１部材１１の凸状部材１５と第２部材１２の凸状部材１７は、接続ユニット２が閉じた状態の内側において、対向する位置に設けられている。  
このような構成により、接続ユニット２が閉じた状態において、複数のラミネートセル電極タブ８は互いに近づく方向に寄せられ、確りと複数のラミネートセル電極タブ８を接触させている。
【００４３】
また、上記のように、本実施例の凸状部材１５、１６、１７、１８及び１９は、開閉支点１０を基準にして第１部材１１と第２部材１２の両方に設けられ、接続ユニット２が閉じた状態の内側において、第１部材１１の凸状部材１５と第２部材１２の凸状部材１７とが対向する位置に設けられるとともに、第１部材１１の凸状部材１６と第２部材１２の凸状部材１８及び１９とは挿入方向Ａ２において交互に設けられている。そして、凸状部材１５及び１７は、凸状部材１６、１８及び１９よりも挿入方向Ａ２において上流側に位置している。  
すなわち、複数のラミネートセル電極タブ８は、挿入方向Ａ２において上流側で互いに近づく方向に寄せられたうえ、その下流側で、交差方向Ｂから見て複数のラミネートセル電極タブ８が凸状部材１６、１８及び１９により波状になるように重ねられて接続されることとなる。このため、確りと複数のラミネートセル電極タブ８を接触させているとともに、大きな接触面積で複数のラミネートセル電極タブ８を接触させている。
【００４４】
また、上記のように、本実施例の凸状部材１６は、交差方向Ｂにおける端部２１よりも中央部２０の方が挿入方向Ａ２及び交差方向Ｂの両方と交差する方向の長さが長い。  
このような構成により、大きな接触面積で複数のラミネートセル電極タブを接触させている。
【００４５】
また、本実施例の接続ユニット２は、ポリプロピレンで構成されている。ポリプロピレンは優れた可撓性を有するとともに繰り返し変形させても劣化が生じ難い丈夫な材料である。このため、前記接続ユニットの操作性及び耐久性を向上できる。なお、本実施例の接続ユニット２、プライムポリマー社製のＪ−７５０ＨＰで構成されている。  
ここで、その他の接続ユニット２の好ましい構成材料としては、ポリアミドなどが挙げられる。
【００４６】
［実施例２］（図５）
次に、実施例２の電池モジュールについて、添付図面を参照して詳細に説明する。  
図５は、本発明の実施例２の電池モジュール１の概略斜視図と要部拡大図である。なお、上記実施例と共通する構成部材は同じ符号で示しており、詳細な説明は省略する。  
なお、本実施例の電池モジュール１は、接続ユニット２を固定するための突起部２７を備えること以外は実施例１の電池モジュール１と同様の構成である。
【００４７】
図５で表されるように、本実施例の電池モジュール１は、ラミネートセル３の固定部９に対応して突起部２７が設けられている。突起部２７は接続ユニット２が導入方向Ａ１に挿入され、複数のラミネートセル電極タブ８を接続したことに伴い、接続ユニット２に設けられたピン２６（図２及び図３参照）と係合する。
【００４８】
別の表現をすると、本実施例の電池モジュール１は、複数のラミネートセル３と、接続ユニット２と、を収容し、複数のラミネートセル３を固定するラミネートセル固定部９と、接続ユニット２を固定する接続ユニット固定部を形成する突起部２７と、を備えている。  
このため、本実施例の電池モジュール１は、複数のラミネートセル３と接続ユニット２とを確りと固定することができる構成になっている。
【００４９】
また、本実施例の接続ユニット固定部は、接続ユニット２を導入する導入方向Ａ１における該接続ユニット２の移動を規制する第１規制部としての壁部１４と、導入方向Ａ１とは反対方向の挿入方向Ａ２における該接続ユニット２の移動を規制する第２規制部としての突起部２７と、を有し、接続ユニット２は、第１規制部としての壁部１４に対応する第１被規制部としての先端部２８と、第２規制部としての突起部２７に対応する第２被規制部としてのピン２６と、を有すると表現することもできる。  
こうして、壁部１４により先端部２８が規制される位置まで接続ユニット２が挿入されることで、複数のラミネートセル電極タブ８が接続ユニット２の所定位置まで挿入される構成としており、複数のラミネートセル電極タブ８を特に簡単に接続することができる構成となっている。  
また、前記接続ユニット固定部は突起部２７を有し、接続ユニット２はピン２６を有するため、複数のラミネートセル３と接続ユニット２とを特に確りと固定することができる構成となっている。
【００５０】
［実施例３］（図６）
次に、実施例３の電池モジュールについて、添付図面を参照して詳細に説明する。  
図６は、本発明の実施例３の電池モジュール１の要部拡大図である。なお、上記実施例と共通する構成部材は同じ符号で示しており、詳細な説明は省略する。  
なお、本実施例の電池モジュール１は、接続ユニット２を固定するための接続ユニット固定部に、接続ユニット２を導入する際のガイド部２９を備えること以外は実施例２の電池モジュール１と同様の構成である。
【００５１】
図６で表されるように、本実施例の電池モジュール１は、接続ユニット２を固定するための接続ユニット固定部に、接続ユニット２を導入する際のガイド部２９を備えている。  
ガイド部２９は、接続ユニット２のピン２６と接触可能な位置に設けられているとともに、導入方向Ａ１に接続ユニット２を導入するにつれて狭くなるよう構成されている。このような構成のガイド部２９を備えていることにより、本実施例の電池モジュール１は、接続ユニット２を複数のラミネートセル電極タブ８に対して挿入する際のユーザーの操作性を向上させている。
【００５２】
［実施例４］（図７）
次に、実施例４の電池モジュールについて、添付図面を参照して詳細に説明する。  
図７は、本発明の実施例４の電池モジュール１で使用可能な接続ユニット３０の概略斜視図である。なお、上記実施例と共通する構成部材は同じ符号で示しており、詳細な説明は省略する。  
ここで、図７（Ａ）は、接続ユニット３０にラミネートセル電極タブ８を挿入する前の状態を表しており、図７（Ｂ）は、接続ユニット３０にラミネートセル電極タブ８を挿入し、第１部材３３及び第２部材３４で挟み込む途中の状態を表している。
【００５３】
上記実施例の接続ユニット２の挿入部１３の位置は、開閉支点１０側であった。  
一方、本実施例の接続ユニット３０の挿入部の位置は、開閉支点３１に対して横側壁部３２であり、横側壁部３２が挿入部に該当する。  
なお、本実施例の接続ユニット３０は、開閉支点３１を基準にして第１部材３３及び第２部材３４を方向Ｂに移動させることにより、複数のラミネートセル電極タブ８を第１部材３３及び第２部材３４で挟み込むようにして複数のラミネートセル電極タブ８を接続可能である。
【符号の説明】
【００５４】
１  電池モジュール、２  接続ユニット、３  ラミネートセル、４  筐体、５  電池本体部、
６  ケース部、７  補強部材、８  ラミネートセル電極タブ、９  固定部、１０  開閉支点、
１１  第１部材、１２  第２部材、１３  挿入部、  １４  壁部（第１規制部）、
１５  凸状部材（接触部）、１６  凸状部材（接触部）、１７  凸状部材（接触部）、
１８  凸状部材（接触部）、１９  凸状部材（接触部）、２０  凸状部材１６の中央部、
２１  凸状部材１６の端部、２２  接点金具（電極）、２３  導線、
２４ａ、２４ｂ、２４ｃ  突起部、２５ａ、２５ｂ、２５ｃ  引掛部、
２６  ピン（第２被規制部）、２７  突起部（第２規制部）、２８  先端部（第１被規制部）、
２９  ガイド部、３０  接続ユニット、  ３１  開閉支点、３２  横側壁部、
３３  第１部材、３４  第２部材
【図１】
2015153692.tif 000003
【図２】
2015153692.tif 000004
【図３】
2015153692.tif 000005
【図４】
2015153692.tif 000006
【図５】
2015153692.tif 000007
【図６】
2015153692.tif 000008
【図７】
2015153692.tif 000009